(57)【要約】【課題】ユーザの感覚と実際の高所潜水モードの設定状態を一致させ、ユーザの違和感を無くす。【解決手段】ユーザの指示に基づいて高度ランク判別しきい値が更新されると、外部の気体の圧力を測定し、この測定された圧力および更新された高度ランク判別しきい値に基づいて、圧力の測定位置の現在高度の属する高度範囲である高度ランクを判別し、高度ランクに基づいてあらかじめ設定されている複数の高所潜水モードのいずれかを選択する。【選択図】　　　図７
2004077312.tif 000002
【特許請求の範囲】
【請求項１】
外部の気体の圧力を測定する圧力測定部と、
測定された前記圧力およびあらかじめ設定された高度ランク判別しきい値に基づいて、前記圧力測定部が位置している現在の高度の属する高度範囲である高度ランクを判別する高度ランク判別部と、
前記高度ランクに基づいてあらかじめ設定されている複数の高所潜水モードのいずれかを選択する潜水モード選択部と、
ユーザの指示に基づいて前記高度ランク判別しきい値を更新するしきい値更新部と、
を備えたことを特徴とするダイバーズ用情報処理装置。
【請求項２】
請求項１記載のダイバーズ用情報処理装置において、
前記しきい値更新部は、前記ユーザの指示タイミングに対応する前記圧力に相当する値を新たな前記高度ランク判別しきい値とすることを特徴とするダイバーズ用情報処理装置。
【請求項３】
請求項１または請求項２記載のダイバーズ用情報処理装置において、
前記しきい値更新部は、前記ユーザの指示タイミングに対応する前記圧力に相当する値があらかじめ設定されている設定可能圧力範囲に属している場合に、前記圧力に相当する値を新たな前記高度ランク判別しきい値とすることを特徴とするダイバーズ用情報処理装置。
【請求項４】
請求項３記載のダイバーズ用情報処理装置において、
前記設定可能圧力範囲は、前記高度ランクごとに最低圧力値が定められていることを特徴とするダイバーズ用情報処理装置。
【請求項５】
請求項３記載のダイバーズ用情報処理装置において、
前記設定可能圧力範囲は、前記高度ランクごとに定められた許容最高高度に基づいて一方の境界圧力値が定められていることを特徴とするダイバーズ用情報処理装置。
【請求項６】
請求項１ないし請求項５のいずれかに記載のダイバーズ用情報処理装置において、
前記測定された圧力を気圧または標高のうち少なくともいずれか一方に換算して表示する表示態様変更部を備えたことを特徴とするダイバーズ用情報処理装置。
【請求項７】
外部の気体の圧力を測定する圧力測定過程と、
測定された前記圧力およびあらかじめ設定された高度ランク判別しきい値に基づいて、前記圧力の測定位置の現在高度の属する高度範囲である高度ランクを判別する高度ランク判別過程と、
前記高度ランクに基づいてあらかじめ設定されている複数の高所潜水モードのいずれかを選択する潜水モード選択過程と、
ユーザの指示に基づいて前記高度ランク判別しきい値を更新するしきい値更新過程と、
を備えたことを特徴とするダイバーズ用情報処理装置の制御方法。
【請求項８】
請求項７記載のダイバーズ用情報処理装置の制御方法において、
前記しきい値更新過程は、前記ユーザの指示タイミングに対応する前記圧力に相当する値を新たな前記高度ランク判別しきい値とすることを特徴とするダイバーズ用情報処理装置の制御方法。
【請求項９】
請求項７または請求項８記載のダイバーズ用情報処理装置の制御方法において、
前記しきい値更新過程は、前記ユーザの指示タイミングに対応する前記圧力に相当する値があらかじめ設定されている設定可能圧力範囲に属している場合に、前記圧力に相当する値を新たな前記高度ランク判別しきい値とすることを特徴とするダイバーズ用情報処理装置の制御方法。
【請求項１０】
請求項９記載のダイバーズ用情報処理装置の制御方法において、
前記設定可能圧力範囲は、前記高度ランクごとに最低圧力値が定められていることを特徴とするダイバーズ用情報処理装置の制御方法。
【請求項１１】
請求項９記載のダイバーズ用情報処理装置の制御方法において、
前記設定可能圧力範囲は、前記高度ランクごとに定められた許容最高高度に基づいて一方の境界圧力値が定められていることを特徴とするダイバーズ用情報処理装置の制御方法。
【請求項１２】
請求項７ないし請求項１１のいずれかに記載のダイバーズ用情報処理装置の制御方法において、
前記測定された圧力を気圧または標高のうち少なくともいずれか一方に換算して告知する情報告知過程を備えたことを特徴とするダイバーズ用情報処理装置の制御方法。
【請求項１３】
コンピュータによりダイバーズ用情報処理装置を制御するための制御プログラムにおいて、
外部の気体の圧力を測定させ、
測定された前記圧力およびあらかじめ設定された高度ランク判別しきい値に基づいて、前記圧力の測定位置の現在高度の属する高度範囲である高度ランクを判別させ、
前記高度ランクに基づいてあらかじめ設定されている複数の高所潜水モードのいずれかを選択させ、
ユーザの指示に基づいて前記高度ランク判別しきい値を更新させる、
ことを特徴とする制御プログラム。
【請求項１４】
請求項１３記載の制御プログラムにおいて、
前記ユーザの指示タイミングに対応する前記圧力に相当する値を新たな前記高度ランク判別しきい値とさせることを特徴とする制御プログラム。
【請求項１５】
請求項１３または請求項１４記載の制御プログラムにおいて、
前記ユーザの指示タイミングに対応する前記圧力に相当する値があらかじめ設定されている設定可能圧力範囲に属している場合に、前記圧力に相当する値を新たな前記高度ランク判別しきい値とさせることを特徴とする制御プログラム。
【請求項１６】
請求項１５記載の制御プログラムにおいて、
前記高度ランクごとに定められた最低圧力値に基づいて前記設定可能圧力範囲を設定させることを特徴とする制御プログラム。
【請求項１７】
請求項１５記載の制御プログラムにおいて、
前記高度ランクごとに定められた許容最高高度に基づいて前記設定可能圧力範囲の一方の境界圧力値を定めさせることを特徴とする制御プログラム。
【請求項１８】
請求項１３ないし請求項１７のいずれかに記載の制御プログラムにおいて、
前記測定された圧力を気圧または標高のうち少なくともいずれか一方に換算して告知させることを特徴とする制御プログラム。
【請求項１９】
コンピュータによりダイバーズ用情報処理装置の制御を行わせるための制御プログラムを記録したコンピュータ読取可能な記録媒体であって、
請求項１３ないし請求項１８のいずれかに記載の制御プログラムを記録したことを特徴とする記録媒体。
【発明の詳細な説明】
【０００１】
【発明の属する技術分野】
本発明は、ダイバーズ用情報処理装置、その制御方法、制御プログラムおよび記録媒体に係り、特に標高の高い場所（高所）において潜水を行う場合に好適なダイバーズ用情報処理装置（以下、ダイブコンピュータという。）、その制御方法、制御プログラムおよび記録媒体に関する。
【０００２】
【従来の技術】
従来のダイブコンピュータに要求される機能の一つとして、浮上時のダイバーの減圧症及び肺の過膨張傷害を防止すべく、圧力減少率、ひいては、浮上速度の管理があった。
ところで、山岳地帯における湖などの標高の高い場所（高所）で潜水を行う場合には、標高の低い場所とは圧力減少率（浮上速度）の管理が異なっている。
そこで、従来においては、ダイブコンピュータに高所潜水モードを持たせ、気圧の自動計測により動作モードの自動切り替えを行ったり、ユーザにより高所潜水モードにマニュアルで切り替える構成を採っていた。
この場合において、気圧の自動計測により高所潜水モードへ自動切り替えを行うダイブコンピュータの場合、ユーザによる設定ミス（動作モード切替忘れなど）もなく、高所潜水に移行するタイミングも実際の気圧変動に同期して行われることとなるため、より正確な動作モード切替が行えるなどユーザによるマニュアル設定よりも利点が多い。
【０００３】
【発明が解決しようとする課題】
しかしながら、上記従来のダイブコンピュータによれば、気圧センサの個体差によるばらつきや温度等の影響による気圧測定結果のばらつきによって、動作切り替えの気圧しきい値近傍の圧力となるダイビングポイントにおいては、同一のダイブコンピュータを使用している場合でも、高所潜水モードに切り替わったり、切り替わらなかったりする場合があった。
同様に同メーカーの同型式のダイブコンピュータであっても、各ダイブコンピュータの個体差により、場所、日付、時刻を同一にしたとしても、高所潜水モードに切り替わるダイブコンピュータと、切り替わらないダイブコンピュータとが存在することとなる。このことは、設計仕様上、いずれの動作モードでも安全性の確保の観点からは問題がないとしても、それらのダイブコンピュータの表示状態および各種データ設定状態を参照した場合に異なるものとなっているため、各ユーザが違和感を覚える可能性があった。
そこで本発明の目的は、ユーザの感覚と実際の高所潜水モードの設定状態を一致させ、ユーザの違和感を無くすことが可能なダイバーズ用情報処理装置、制御方法、制御プログラムおよび記録媒体を提供することにある。
【０００４】
【課題を解決するための手段】
上記課題を解決するため、ダイバーズ用情報処理装置は、外部の気体の圧力を測定する圧力測定部と、測定された前記圧力およびあらかじめ設定された高度ランク判別しきい値に基づいて、前記圧力測定部が位置している現在の高度の属する高度範囲である高度ランクを判別する高度ランク判別部と、前記高度ランクに基づいてあらかじめ設定されている複数の高所潜水モードのいずれかを選択する潜水モード選択部と、ユーザの指示に基づいて前記高度ランク判別しきい値を更新するしきい値更新部と、を備えたことを特徴としている。
上記構成によれば、しきい値更新部は、ユーザの指示に基づいて高度ランク判別しきい値を更新する。
これにより、高度ランク判別部は、圧力測定部により測定された圧力および更新された高度ランク判別しきい値に基づいて、圧力測定部が位置している現在の高度の属する高度範囲である高度ランクを判別する。
これにより、潜水モード選択部は、高度ランクに基づいてあらかじめ設定されている複数の高所潜水モードのいずれかを選択する。
【０００５】
この場合において、前記しきい値更新部は、前記ユーザの指示タイミングに対応する前記圧力に相当する値を新たな前記高度ランク判別しきい値とするようにしてもよい。
また、前記しきい値更新部は、前記ユーザの指示タイミングに対応する前記圧力に相当する値があらかじめ設定されている設定可能圧力範囲に属している場合に、前記圧力に相当する値を新たな前記高度ランク判別しきい値とするようにしてもよい。
さらに、前記設定可能圧力範囲は、前記高度ランクごとに最低圧力値が定められているようにしてもよい。
さらにまた、前記設定可能圧力範囲は、前記高度ランクごとに定められた許容最高高度に基づいて一方の境界圧力値が定められているようにしてもよい。
また、前記測定された圧力を気圧または標高のうち少なくともいずれか一方に換算して表示する表示態様変更部を備えるようにしてもよい。
【０００６】
また、ダイバーズ用情報処理装置の制御方法は、外部の気体の圧力を測定する圧力測定過程と、測定された前記圧力およびあらかじめ設定された高度ランク判別しきい値に基づいて、前記圧力の測定位置の現在高度の属する高度範囲である高度ランクを判別する高度ランク判別過程と、前記高度ランクに基づいてあらかじめ設定されている複数の高所潜水モードのいずれかを選択する潜水モード選択過程と、ユーザの指示に基づいて前記高度ランク判別しきい値を更新するしきい値更新過程と、を備えたことを特徴としている。
この場合において、前記しきい値更新過程は、前記ユーザの指示タイミングに対応する前記圧力に相当する値を新たな前記高度ランク判別しきい値とするようにしてもよい。
【０００７】
また、前記しきい値更新過程は、前記ユーザの指示タイミングに対応する前記圧力に相当する値があらかじめ設定されている設定可能圧力範囲に属している場合に、前記圧力に相当する値を新たな前記高度ランク判別しきい値とするようにしてもよい。
さらに、前記設定可能圧力範囲は、前記高度ランクごとに最低圧力値が定められているようにしてもよい。
さらにまた、前記設定可能圧力範囲は、前記高度ランクごとに定められた許容最高高度に基づいて一方の境界圧力値が定められているようにしてもよい。
また、前記測定された圧力を気圧または標高のうち少なくともいずれか一方に換算して告知する情報告知過程を備えるようにしてもよい。
【０００８】
また、コンピュータによりダイバーズ用情報処理装置を制御するための制御プログラムは、外部の気体の圧力を測定させ、測定された前記圧力およびあらかじめ設定された高度ランク判別しきい値に基づいて、前記圧力の測定位置の現在高度の属する高度範囲である高度ランクを判別させ、前記高度ランクに基づいてあらかじめ設定されている複数の高所潜水モードのいずれかを選択させ、
ユーザの指示に基づいて前記高度ランク判別しきい値を更新させる、ことを特徴としている。
この場合において、前記ユーザの指示タイミングに対応する前記圧力に相当する値を新たな前記高度ランク判別しきい値とさせるようにしてもよい。
また、前記ユーザの指示タイミングに対応する前記圧力に相当する値があらかじめ設定されている設定可能圧力範囲に属している場合に、前記圧力に相当する値を新たな前記高度ランク判別しきい値とさせるようにしてもよい。
さらに、前記高度ランクごとに定められた最低圧力値に基づいて前記設定可能圧力範囲を設定させるようにしてもよい。
さらにまた、前記高度ランクごとに定められた許容最高高度に基づいて前記設定可能圧力範囲の一方の境界圧力値を定めさせるようにしてもよい。
また、前記測定された圧力を気圧または標高のうち少なくともいずれか一方に換算して告知させるようにしてもよい。
また、上記各制御プログラムをコンピュータ読取可能な記録媒体に記録するようにしてもよい。
【０００９】
【発明の実施の形態】
次に図面を参照して本発明の好適な実施形態について説明する。
［１］ダイブコンピュータの概要構成
図１は実施形態のダイブコンピュータの外観正面図である。
また、図２はダイブコンピュータの概要構成ブロック図である。
ダイブコンピュータ１は、潜水中のダイバーの深度や潜水時間を計算して表示するとともに、潜水中に体内に蓄積される不活性ガス量（主として窒素ガス量）を計測し、この計測結果から潜水後に水からあがった状態で体内に蓄積された窒素が排出されるまでの時間などを表示するように構成されている。
ダイブコンピュータ１は、円盤状の装置本体２に対して、図面上下方向に腕バンド３，４がそれぞれ連結され、この腕バンド３，４によって腕時計と同様にユーザの腕に装着されて使用されるようになっている。
装置本体２は、上ケースと下ケースとが完全水密状態でビス止めなどの方法で固定され、図示しない各種電子部品が内蔵されている。装置本体２の図面正面側には、液晶表示パネル１１を有する表示部１０が設けられている。
【００１０】
さらに装置本体２の図面下側にはダイブコンピュータ１における各種動作モードの選択／切替を行うための操作部５が形成され、操作部５は、プッシュボタン形式の二つのスイッチＡ、Ｂを有している。装置本体２の図面左側には潜水を開始したか否かを判別するために用いられる導通センサを用いた潜水動作スイッチ３０が構成されている。この潜水動作監視スイッチ３０は、装置本体２の図面正面側に設けられた電極３１，３２を有し、電極３１，３２間が海水などにより導通状態となることにより、電極３１，３２間の抵抗値が小さくなった場合に入水したと判断するものである。しかしながら、この潜水動作スイッチ３０は、あくまで入水したことを検出してダイブコンピュータ１の動作モードをダイビングモードに移行させるために用いるだけであり、実際に潜水（ダイビング）を開始した旨を検出するために用いられる訳ではない。すなわち、ダイブコンピュータ１を装着したユーザの腕が海水に浸かっただけの場合もあり、このような状態で潜水を開始したの判断するのは好ましくないからである。
【００１１】
このため、本ダイブコンピュータにおいては、装置本体２に内蔵した圧力センサによって水圧（水深）が一定値以上、より具体的には、水圧が水深にして１．５［ｍ］相当以上となった場合にダイビングを開始したものとみなし、かつ、水圧が水深にして１．５［ｍ］未満となった場合にダイビングが終了したものとみなしている。
図２に示すように、ダイブコンピュータ１は、大別すると、各種操作を行うための操作部５、各種情報を表示する表示部１０、潜水動作監視スイッチ３０、ブザーなどのアラーム音によりユーザに告知を行う報音装置３７、振動によりユーザに告知を行う振動発生装置３８、ダイブコンピュータ全体の制御を行う制御部５０、気圧あるいは水圧を計測するための圧力計測部６１および各種計時処理を行う計時部６８を備えて構成されている。表示部１０は、各種の情報を表示するための液晶表示パネル１１および液晶表示パネル１１を駆動するための液晶ドライバ１２を備えて構成されている。
【００１２】
制御部５０は、スイッチＡ、Ｂ（＝操作部５）および潜水動作監視スイッチ３０、報音装置３７および振動発生装置３８が接続されるとともに、装置全体の制御を行うＣＰＵ５１と、ＣＰＵ５１の制御下で、各動作モードに対応した表示を液晶表示パネル１１に行わせるため液晶ドライバ１２を制御し、あるいは、後述の時刻用カウンタ３３における各動作モードにおける処理を行う制御回路５２と、制御用プログラムおよび制御用データを格納したＲＯＭ５３と、各種データを一時的に格納するＲＡＭ５４と、を備えて構成されている。
また、圧力計測部６１は、ダイブコンピュータ１においては水深（水圧）を計測、表示するとともに、水深および潜水時間からユーザの体内に蓄積される不活性ガス量（主として窒素ガス量）を計測することが必要であるため、気圧および水圧を計測している。圧力計測部６１は、半導体圧力センサにより構成される圧力センサ３４と、この圧力センサ３４の出力信号を増幅するための増幅回路３５と、増幅回路３５の出力信号のアナログ／ディジタル変換を行い、制御部５０に出力するＡ／Ｄ変換回路３６と、を備えて構成されている。計時部６８は、ダイブコンピュータ１においては通常時刻の計測や潜水時間の監視をおこなうために、所定の周波数を有するクロック信号を出力する発振回路３１と、この発振回路３１からのクロック信号の分周を行う分周回路３２と、分周回路３２の出力信号に基づいて１秒単位での計時処理を行う時刻用カウンタ３３と、を備えて構成されている。
【００１３】
［１．１］制御部の機能構成
図３は制御部５０の機能ブロック図である。
制御部５０は、圧力計測部６１の圧力（水深）計測結果および計時部６８の計測結果に基づいて浮上時の浮上速度（深度変更速度）を計測する浮上速度計測部７５として機能している。
また、制御部５０は、圧力計測部６１が計測した圧力が水深値として１．５［ｍ］（潜水開始判定用水深値）より深くなったタイミングから１．５［ｍ］（潜水終了判定用水深値）未満となったタイミングまでを１回の潜水期間（潜水動作）としてこの期間における潜水結果（ダイビングの日付、潜水時間、最大水深等のダイビングデータ）をＲＡＭ５４に記憶、保持させる潜水結果記録部７８として機能する。さらに制御部５０は、浮上速度計測部７５の計測結果に基づいて実際の浮上速度が予め浮上速度上限値記憶部７６に記憶された浮上速度上限値（これは深度により複数設定されている）を超過している場合に、表示部１０に警告表示を行い、あるいは、報音装置３７、振動発生装置３８を介してユーザに浮上速度違反である旨を警告する浮上速度違反警告部７７として機能する。
【００１４】
上記構成において、潜水結果記録部７８は、圧力計測部６１の計測結果に対応する水深値が１．５［ｍ］（潜水開始判定用水深値）より深くなったタイミングから１．５［ｍ］（潜水終了判定用水深値）未満となったタイミングまでの時間である潜水時間が３分未満であれば、この間に行われた潜水は１回の潜水としては扱わず、その間の潜水結果については記録していない。これは、潜水結果記録部７８においては、潜水結果を予め定めた所定数（例えば、１０個）のログデータとして記録、保持し、所定数以上の潜水を行った場合には、最も古いデータから順に削除する構成を採っているので、素潜りのような短時間のダイビングも記録する構成とすると重要なダイビング結果が削除されてしまうためである。また、潜水結果記録部７８は、浮上速度違反警告部７７において、１回の潜水で連続して複数回の警告、例えば、連続して２回以上の警告が発せられたときに浮上速度違反があった旨を潜水結果として記録するように構成されており、ログデータを再生するログモードにおいて、潜水結果を再生し、表示する場合には、ダイビング中に浮上速度違反があった旨の再生、表示をおこなうこととなる。
【００１５】
［１．２］表示部の構成
次に表示部の構成について図１を参照して詳細に説明する。
表示部１０を構成する液晶表示パネル１１の表示面は、９つの表示領域で構成されている。液晶表示パネル１１の表示領域は、８つの表示領域を有し、中央に位置する表示領域１１Ａと、その外周側に位置する環状表示領域１１Ｂと、に大別される。なお、本実施形態では、表示領域１１Ａと、環状表示領域１１Ｂとが円形の例を示したが、円形に限定されるものではなく、楕円形状、トラック形状、多角形状など他の形状であってもかまわない。
表示領域１１Ａのうち、図面上部左側に位置する第１の表示領域１１１は、各表示領域のうちで最も大きく構成され、ダイビングモード、サーフェスモード（時刻表示モード）、プランニングモード、ログモード等の各種動作モードにおいて、それぞれ、現在水深、現在月日、水深ランク、潜水月日（ログ番号）が表示される。
第２の表示領域１１２は、第１の表示領域１１１の図面右側に位置し、ダイビングモード、サーフェスモード（時刻表示モード）、プランニングモード、ログモードにおいて、それぞれ潜水時間、現在時刻、無減圧潜水可能時間、潜水開始時刻（潜水時間）が表示される。
【００１６】
第３の表示領域１１３は、第１の表示領域１１１の図面下側に位置し、ダイビングモード、サーフェスモード（時刻表示モード）、プランニングモード、ログモードにおいて、それぞれ、最大水深、体内窒素排出時間、セーフティレベル、最大水深（平均水深）が表示される。
第４の表示領域１１４は、第３の表示領域１１３の図面右側に位置し、ダイビングモード、サーフェスモード（時刻表示モード）、プランニングモード、ログモードにおいて、それぞれ無減圧潜水可能時間、水面休止時間、温度、潜水終了時刻（最大水深時水温）が表示される。
第５の表示領域１１５は、第３の表示領域１１３の図面下側に位置し、電源容量切れを表示する電源容量切れ警告表示部１０４やユーザの現在の高度の属する高度ランクを表示する高度ランク表示部１０３が設けられている。
【００１７】
ここで、図４を参照して高度ランク表示部１０３の初期表示設定について説明する。
図４は、高度ランク表示の初期表示設定説明図である。
高度ランクを表示する場合には、ＣＰＵ５１は、圧力計測部６１からの入力データ（＝圧力データ）に基づいて高度ランクを判別する。具体的には、圧力計測部６１の圧力センサ３４の外部圧力に比例した出力信号は、増幅回路３５により増幅されてＡ／Ｄ変換回路３６に出力される。
これによりＡ／Ｄ変換回路３６は、増幅回路３５の出力信号のアナログ／ディジタル変換を行い、圧力データとして気圧に応じた値を有するカウント値を制御部５０に出力する。
初期設定状態においては、図４に示す場合、Ａ／Ｄ変換回路３６の出力したカウント値が１４８以上であれば、標高に相当する高度値が８００［ｍ］以下であるとして、図１に示す山マーク（図１では、３個の山マークを図示している。）を０個表示、すなわち、高度ランク＝０であるとして山マークを表示しない状態となる。
【００１８】
また、Ａ／Ｄ変換回路３６の出力したカウント値が１１６以上１４７以下であれば、標高に相当する高度値が８０１［ｍ］以上１６００［ｍ］以下であるとして、すなわち、高度ランク＝１であるとして図１に示した山マークを１個表示する状態となる。
同様に、Ａ／Ｄ変換回路３６の出力したカウント値が８４以上１１５以下であれば、標高に相当する高度値が１６０１［ｍ］以上２４００［ｍ］以下であるとして、すなわち、高度ランク＝２であるとして図１に示した山マークを２個表示する状態となる。
さらに、Ａ／Ｄ変換回路３６の出力したカウント値が−３１以上８３以下であれば、標高に相当する高度値が２４０１［ｍ］以上６０００［ｍ］以下であるとして、すなわち、高度ランク＝３であるとして図１に示した山マークを３個表示する状態となる。
そして、Ａ／Ｄ変換回路３６の出力したカウント値が−３２以下であれば、標高に相当する高度値が６０００［ｍ］以上である、すなわち、計測範囲オーバーとして、例えば、図１に示す山マークを３個点滅表示するエラー状態表示となる。
【００１９】
第６の表示領域１１６は、表示領域１１Ａのうち図面下部左側に位置し、体内窒素量がグラフ表示される。
第７の表示領域１１７は、第６の表示領域１１６の図面右側に位置し、ダイビングモードで減圧潜水状態になった場合に、窒素ガス（不活性ガス）が吸収傾向にあるのか、排出傾向にあるかを示す領域（図中、上下方向矢印が図示されている）と、浮上速度が高すぎる場合に浮上速度違反警告のひとつとして減速を指示するための「ＳＬＯＷ」を表示する領域と、潜水中に減圧潜水を行わなければならない旨を警告するための「ＤＥＣＯ」を表示する領域と、を備えて構成されている。
【００２０】
第８の表示領域１１８は、第２の表示領域１１２および第４の表示領域１１４の図面右側に位置し、浮上速度が９個のセグメントによりグラフ表示され、例えば、浮上速度が現水深域における浮上上限速度を超過している場合には、９個全てのセグメントが点滅表示となり、現水深域における浮上上限速度を超えている旨をダイバーに通知するようになっている。
一方、表示領域１１Ｂは、図示してはいないが、回転ベゼルとして構成されており、回転ベゼルの位置合わせマーク（例えば、▼印）をあらかじめ分針又は時針に合わせておくと経過時間がわかり、位置合わせマークを目標時刻に合わせておくと残りの時間がわかるようにされている。従って、水中に潜ってからの時間、あるいは浮上開始予定時間等を設定することができる。
【００２１】
［２］実施形態の動作
図５は、ダイブコンピュータの高度ランク表示時の概要処理フローチャートである。
ＣＰＵ５１は、圧力計測部６１からの入力データに基づいて現在高度Ｈ０を計測する（ステップＳ１）。
具体的には、圧力計測部６１の圧力センサ３４の外部圧力に比例した出力信号は増幅回路３５により、増幅されてＡ／Ｄ変換回路３６に出力される。
これによりＡ／Ｄ変換回路３６は、増幅回路３５の出力信号のアナログ／ディジタル変換を行い、圧力データとして制御部５０に出力する。
これにより制御部５０のＣＰＵ５１は、入力された圧力データに基づいて現在高度Ｈ０を算出し、あらかじめ設定されている高度ランク判別しきい値に基づいて高度ランク判別を行い（ステップＳ２）、高度ランク表示を行う（ステップＳ３）。
【００２２】
図６は通常時の表示状態説明図である。
図６は、ＣＰＵ５１により高度ランク＝１である、すなわち、現在高度が８０１〜１６００［ｍ］の範囲にあると判別された場合の表示である。
図６においては、第１の表示領域１１１に現在の日付（１０月２９日）が表示され、第２の表示領域１１２には、現在の時刻（１３時８分）が表示され、高度ランク表示部１０３には、高度ランク＝１であることを示す山マークが１個表示されている。
ところで、ユーザが高度ランク判別結果が異なる高度ランク判別結果に属するように望む場合には以下のような手順で行う。
図７は高度ランク判別しきい値の変更処理フローチャートである。
ＣＰＵ５１は、通常表示モードにおいて高度ランク判別しきい値変更モードに移行するための所定の操作がなされたか否かを判別する（ステップＳ１１）。
ステップＳ１１における所定の操作とは、例えば、以下の通りである。
まず、ユーザは操作部５の第１操作ボタン（図１におけるＡボタン）を１回押し下げる。次に、ユーザは操作部５の第１操作ボタンおよび第２操作ボタン（図１におけるＢボタン）を同時に押し下げる操作を２回続けて行う。
このように複雑な操作としているのは、ユーザの意図しないボタン操作で高度ランク判別しきい値変更モードに移行しないようにするためである。
【００２３】
図８は現在の高度ランク＝０である場合における高度ランク判別しきい値変更モード時の表示状態説明図である。
ステップＳ１１の判別において、ＣＰＵ５１は、高度ランク判別しきい値変更モードに移行するための所定の操作がなされたと判別した場合には（ステップＳ１１；Ｙｅｓ）、現在のＡ／Ｄカウント値と現在の高度ランクに対応する高度ランク判別しきい値を表示する（ステップＳ１２）。
具体的には、図８に示すように、第４の表示領域１１４には、現在のＡ／Ｄカウント値（現在高度Ｈ０に相当）が表示され、第２の表示領域１１２には、現在の高度ランク＝０における高度ランク判別しきい値＝１４８（Ａ／Ｄ変換回路３６の出力したカウント値に相当）が点滅表示される。
次にＣＰＵ５１は、高度ランク判別しきい値変更モードにおいて高度ランク判別しきい値を現在のＡ／Ｄ変換回路３６の出力したカウント値（図８では、１５８）に更新するための所定の操作がなされたか否かを判別する（ステップＳ１３）。
【００２４】
ここで、ステップＳ１３における所定の操作とは、例えば、操作部５の第２操作ボタン（図１におけるＢボタン）を１回押し下げる操作である。
ステップＳ１３の判別において、高度ランク判別しきい値を現在のＡ／Ｄ変換回路３６の出力したカウント値に更新するための所定の操作がなされた場合には（ステップＳ１３；Ｙｅｓ）、ＣＰＵ５１は、高度ランク判別しきい値を現在のＡ／Ｄ変換回路３６の出力したカウント値に変更して表示し（ステップＳ１４）、現在のＡ／Ｄ変換回路３６の出力したカウント値をＲＡＭ５４に格納する（ステップＳ１５）。
ステップＳ１３の判別において、ＣＰＵ５１は、高度ランク判別しきい値変更モードにおいて高度ランク判別しきい値を現在のＡ／Ｄ変換回路３６の出力したカウント値に更新するための所定の操作がなされなかった場合には（ステップＳ１３；Ｎｏ）、たか否かを判別する（ステップＳ１３）。
ここで、ステップＳ１３における所定の操作とは、例えば、操作部５の第２操作ボタン（図１におけるＢボタン）を１回押し下げる操作である。
【００２５】
本実施形態によれば、ユーザの操作負荷を不必要に増加することなく、ユーザの感覚と実際の高所潜水モードの設定状態を一致させ、ユーザの違和感を無くすことができる。
【００２６】
以上の説明においては、何ら制限なく高度ランク判別しきい値を現在のＡ／Ｄ変換回路３６の出力したカウント値（新たな高度ランク判別しきい値）に更新する構成であったが、ユーザの指示タイミングに対応する気圧に相当する値があらかじめ設定されている設定可能圧力範囲に属している場合に、圧力に相当する値を新たな前記高度ランク判別しきい値とするのが好ましい。
これは、安全面の観点から許容される標高よりも、より高い標高まで低い高度ランクが維持されるのは好ましくないからである。
【００２７】
この場合に、設定可能圧力範囲は、各高度ランクごとに最低圧力値が定められている。具体的には、上述の例の場合、高度ランク＝０の場合には、Ａ／Ｄ変換回路３６の出力したカウント値を１４８未満（境界圧力値）に設定すること、すなわち、高度値が８００［ｍ］より高い標高に高度ランク＝０の範囲を設定することは許容しない。同様に高度ランク＝１の場合には、Ａ／Ｄ変換回路３６の出力したカウント値を１１６未満（境界圧力値）に設定すること、すなわち、高度値が１６００［ｍ］より高い標高に高度ランク＝１の範囲を設定することは許容しない。また、高度ランク＝２の場合には、Ａ／Ｄ変換回路３６の出力したカウントを８４未満（境界圧力値）に設定すること、すなわち、高度値が２４００［ｍ］より高い標高に高度ランク＝２の範囲を設定することは許容しない。さらに高度ランク＝３の場合には、Ａ／Ｄ変換回路３６の出力したカウントを−３１未満（境界圧力値）に設定すること、すなわち、高度値が６０００［ｍ］より高い標高に高度ランク＝３の範囲を設定することは許容しない。
【００２８】
以上の説明においては、高度ランク判別しきい値の表示として、Ａ／Ｄ変換回路のカウント値をそのまま表示していたが、気圧あるいは標高に換算してユーザに対して表示（告知）するように構成することも可能である。これにより、よりユーザがデータ（設定状況）の意味するところを把握させることができるとともに、設定も容易となる。
以上の説明においては、高度ランク判別しきい値を更新する場合には、表示自体を高度ランク判別しきい値変更モードに対応する表示としていたが、所定の操作、たとえば、通常表示モードにおいて、操作部５の第１操作ボタンおよび第２操作ボタン（図１におけるＡボタンおよびＢボタン）を所定時間以上長く押し続けた場合に、高度ランク判別しきい値を現在の気圧あるいは最低圧力値に更新するように構成することも可能である。
これにより、ユーザの高度ランク判別しきい値の更新操作をより簡略化することができる。）
以上の説明においては、ダイブコンピュータが腕装着型の場合について説明したが、これに限られるものではなく、ダイビングスーツ埋め込み型や、胴部装着型、あるいは水中マスク組み込み型などの変形が考えられる。
【００２９】
【発明の効果】
本発明によれば、ユーザの操作負荷を不必要に増加することなく、ユーザの感覚と実際の高所潜水モードの設定状態を一致させ、ユーザの違和感を無くすことができる。
【図面の簡単な説明】
【図１】ダイブコンピュータの外観正面図である。
【図２】ダイブコンピュータの概要構成ブロック図である。
【図３】制御部の機能ブロック図である。
【図４】高度ランク表示の初期表示設定説明図である。
【図５】ダイブコンピュータの高度ランク表示時の概要処理フローチャートである。
【図６】通常時の表示状態説明図である。
【図７】高度ランク判別しきい値の変更処理フローチャートである。
【図８】現在の高度ランク＝０である場合における高度ランク判別しきい値変更モード時の表示状態説明図である。
【符号の説明】
１…ダイブコンピュータ、５…操作部、１０…表示部、１１…液晶表示パネル、１２…液晶ドライバ、３０…潜水動作監視スイッチ、３７…報音装置、３８…振動発生装置、５０…制御部、６１…圧力計測部、６８…計時部
【図１】
2004077312.tif 000003
【図２】
2004077312.tif 000004
【図３】
2004077312.tif 000005
【図４】
2004077312.tif 000006
【図５】
2004077312.tif 000007
【図６】
2004077312.tif 000008
【図７】
2004077312.tif 000009
【図８】
2004077312.tif 000010